(57)【要約】  【課題】  折りたたんだ状態で送・受話可能な折りたたみ式携帯電話機機であって、折りたたんだ状態及び開いた状態いずれの場合でも、送・受話音声品質を低下させることなく通話することができる折りたたみ式携帯電話機を提供する。  【解決手段】  上側筐体１と、下側筐体２と、上側筐体１と下側筐体２とを折りたたみ可能に接続するヒンジ部３を有し、上側筐体１は表示部４２と音声を受話する受話部４１を備えており、下側筐体２はキー操作部５１と音声を送話する送話部５２を備えており、受話部４１は両面発音方式のレシーバ４１１を備えており、上側筐体１は携帯電話機を折りたたんだ状態で送話部５２と対向する位置に貫通孔１３を有している折りたたみ式携帯電話機Ａ１。【選択図】      図２
2005079938.tif 000002
【特許請求の範囲】
【請求項１】
上側筐体と、下側筐体と、前記上側筐体と前記下側筐体とを折りたたみ可能に接続するヒンジ部を有する折りたたみ式携帯電話機であって、
前記上側筐体は表示部と音声を受話する受話部を備えており、
前記下側筐体はキー操作部と音声を送話する送話部を備えていることを特徴とする折りたたみ式携帯電話機。
【請求項２】
前記上側筐体は携帯電話機が折りたたまれた状態で該下側筐体に備えられた送話部と対向する位置に貫通孔を有していることを特徴とする請求項１に記載の折りたたみ式携帯電話機。
【請求項３】
前記下側筐体は折りたたんだ状態において内面側の所定の場所に第１の送話部を備えており、
前記上側筐体は携帯電話機を折りたたんだ状態において外面側のヒンジに近い位置に前記貫通孔にかえて第２の送話部を備えていることを特徴とする請求項１に記載の折りたたみ式携帯電話機。
【請求項４】
前記送話部は両面発音方式のレシーバを備えていることを特徴とする請求項１、請求項２又は請求項３に記載の折りたたみ式携帯電話機。
【請求項５】
前記送話部は前記携帯電話機を折りたたんだ状態において内面側及び外面側にそれぞれ片面発音方式のレシーバを備えていることを特徴とする請求項１、請求項２又は請求項３に記載の折りたたみ式携帯電話機。
【請求項６】
前記受話部は前記携帯電話機を折りたたんだ状態において内面側に片側発音方式のレシーバを、外面側の前記片側発音方式のレシーバに対応する位置にスピーカを備えたことを特徴とする請求項１、請求項２又は請求項３のいずれかに記載の折りたたみ式携帯電話機。
【請求項７】
前記上側筐体及び（又は）前記下側筐体に前記携帯電話機が折りたたまれた状態であるか開かれた状態であるかを検知するための検知手段を備えたことを特徴とする請求項１から請求項６のいずれかに記載の折りたたみ式携帯電話機。
【請求項８】
前記携帯電話機が折りたたまれた状態で前記上側筐体及び（又は）前記下側筐体の外面側及び（又は）側面部に送話・受話用キー操作部を設けたことを特徴とする請求項１から請求項７のいずれかに記載の折りたたみ式携帯電話機。
【発明の詳細な説明】
【技術分野】
【０００１】
本発明は折りたたみ式携帯電話機に関するものであり、より詳しくは折りたたんだ状態で送話及び受話することが可能な折りたたみ式携帯電話機に関するものである。
【背景技術】
【０００２】
現在、携帯電話機は非常に高普及率を有している。その中でも、筐体を中心又は略中心で折り曲げる折りたたみ式の携帯電話機が主流となっている。前記折りたたみ式携帯電話機は筐体を広げた状態で広い面積を有しているので、より大きな表示部を配置することができ、さらに、大型のボタンキーを配置することができる。
【０００３】
また、近年携帯電話機の筐体が薄くなってきており、折りたたんだ状態でもあまり厚くならず、コンパクトで、服のポケットやかばんにしまうことができる。
【０００４】
しかし、前記折りたたみ式携帯電話機が折りたたまれた状態で着信した場合、該折りたたみ式携帯電話機を取り出し、開いてから電話に出る。この場合、両手がフリーの場合は両手で携帯電話機を開いて電話を受けることができるが、荷物や傘を持っていると片手でしか携帯電話機を取り扱うことができず、電話に出るのが困難である。
【０００５】
また、前記折りたたみ式携帯電話機の折り返し部はヒンジ状に形成されており、開いたり折りたたんだりを繰り返していると、該折り返し部に不具合が出てくる場合もある。
【０００６】
そこで特開２００２‐１１１８２５号公報に記載の発明には、折りたたみ式携帯電話機であって折りたたんだ状態で送受話できるものが開示されている。この技術によると図６に示す折りたたみ式携帯電話機Ｂ１は、上側筐体９１及び下側筐体９２がヒンジ部９３にて回動可能に接続され、折りたたみ可能になっている。上側筐体９１はレシーバを有する受話部９４とマイクを有する送話部９５を備えている。
【０００７】
折りたたみ式携帯電話機Ｂ１は折りたたんだ状態で上側筐体９１に備えられた受話部９４と送話部９５とを用いて送受話するために、折りたたみ式携帯電話機Ｂ１を折りたたんだ状態で下側筐体９２の受話部９４及び送話部９５と対向する位置に貫通孔９２１、９２２を設けている。折りたたみ式携帯電話機Ｂ１を折りたたんだ状態で下側筐体９２の貫通孔９２１を耳に、貫通孔９２２を口元に近づけて送受話することができるようになっている。
【０００８】
また、図７に示す折りたたみ式携帯電話機Ｂ２は同じく上側筐体９１に受話部９４及び送話部９５を配しており、上側筐体９１の受話部９４と送話部９５の前面に内面側より外面側に連通する貫通孔９１１、９１２を設ける。そして、貫通孔９１１の外面側を耳に、貫通孔９１２の外面側を口元に近づけて送受話することができるようになっている。
【特許文献１】特開２００２−１１１８２５号公報
【発明の開示】
【発明が解決しようとする課題】
【０００９】
しかしながら、従来の折りたたんだ状態で送受話可能な折りたたみ式携帯電話機Ｂ１、Ｂ２の場合、上側筐体９１に受話部９４と送話部９５が備えられているため、受話部９４からの音圧が送話部９５のマイクに作用し、エコー現象やハウリング等の受話音声品質を悪化させる状態になりやすい。また、携帯電話機Ｂ１を折りたたんだ状態で通話するときには、構造上受話部９４のレシーバから耳をあてる部分までの距離が筐体の厚みだけ遠くなるので十分な音圧が得られず受話音量が小さく聞き取りにくくなるという問題がある。また携帯電話機Ｂ１、Ｂ２の上側筐体９１及び下側筐体９２の外面側は平坦でない場合が多く、耳にあてがう場合、耳と携帯電話機Ｂ１、Ｂ２との密着性が悪く受話音声品質も悪化する。
【００１０】
また、普通に折りたたみ式携帯電話機Ｂ１、Ｂ２を開いた状態で使用する場合でも、送話部９５が受話部９４と同じ上側筐体９１に設置されているので、使用者の耳と口元の距離に対して受話部９４と送話部９５の距離が短く、携帯電話機Ｂ１、Ｂ２の受話部９４を耳にあてがうと送話部９５と口元の距離が遠くなり、送話音声品質が低下する。
【００１１】
そこで本発明は、折りたたんだ状態で送・受話可能な折りたたみ式携帯電話機機であって、折りたたんだ状態及び開いた状態いずれの場合でも、送・受話音声品質を低下させることなく通話することができる折りたたみ式携帯電話機を提供することを目的とする。
【課題を解決するための手段】
【００１２】
上述の目的を達成するために本発明は、上側筐体と、下側筐体と、前記上側筐体と前記下側筐体とを折りたたみ可能に接続するヒンジ部を有する折りたたみ式携帯電話機であって、前記上側筐体は表示部と音声を受話する受話部を備えており、前記下側筐体はキー操作部と音声を送話する送話部を備えていることを特徴とする折りたたみ式携帯電話機を提供する。
【００１３】
この構成によると、両手を使うことができず、携帯電話機を開くことができない場合であっても、前記携帯電話機を折りたたんだ状態のままでも通話が可能である。また、前記受話部と前記送話部が前記上側筐体及び前記下側筐体に別々に取り付けられているので該受話部から該送話部への音圧干渉を低減し、エコーやハウリング等の不快な障害の発生を防ぐことが可能である。
【００１４】
このことより、前記携帯電話機を開いた状態ではもちろんのこと、折りたたんだ状態でも上述のような障害が発生しにくく、それだけ音声品質の高い通話が可能である。また、音声処理用のＩＣは前記下側筐体に設けられており、前記送話部も前記下側筐体に備えられているので音声信号を送る信号回路が短くノイズを拾いにくい。それだけ、折りたたんだ状態でも開いた状態でも通話品質の高い携帯電話機を提供することが可能である。
【００１５】
また上記構成の上側筐体として、携帯電話機が折りたたまれた状態で該下側筐体に備えられた送話部と対向する位置に貫通孔を有しているものを例示することができる。
【００１６】
この構成によると、前記携帯電話機が折りたたまれた状態で通話を行うときでも、音声が貫通孔を通って届くので、それだけ、折りたたんだ状態でも高温質な通話が可能である。
【００１７】
上記構成において前記下側筐体は折りたたんだ状態において内面側の所定の場所に第１の送話部を備えており、前記上側筐体は携帯電話機を折りたたんだ状態において外面側のヒンジに近い位置に前記貫通孔にかえて第２の送話部を備えているものを例示することができる。
【００１８】
この構成によると、前記第１の送話部及び前記第２の送話部の配置場所の自由度が高いので、前記携帯電話機を折りたたんだ状態又は開いた状態いずれの状態で通話を行うときでも、口元の近くに送話部を設けることが可能であり、それだけ、確実に音声を該送話部に送ることが可能である。
【００１９】
さらに上記構成の送話部として両面発音方式のレシーバを備えているものを例示することができる。
【００２０】
また上記構成の送話部として、前記携帯電話機を折りたたんだ状態において内面側及び外面側にそれぞれ片面発音方式のレシーバを備えているものを例示できる。
【００２１】
前記レシーバを２つ備えることで、それぞれ独立してレシーバを駆動することが可能であり前記携帯電話機を開いた状態で通話するときに使用者以外の人間に通話内容を聞かれたくない場合、一方を停止することで音声が外部に漏れるのを防ぐことが可能である。
【００２２】
上記構成において前記受話部は前記携帯電話機を折りたたんだ状態において内面側に片側発音方式のレシーバを、外面側の前記片側発音方式のレシーバに対応する位置にスピーカを備えたものを例示することができる。
【００２３】
この構成によると、携帯電話機が電波を受信したときに使用者に知らせるための音声を発声するスピーカをレシーバとして用いており、それゆえ、特殊なレシーバや複数のレシーバを必要とせず、それだけ部品点数を減らすことが可能である。部品点数を減らすことで、前記携帯電話機をよりコンパクトに、且つ、安価に製造することが可能である。
【００２４】
上記構成において前記上側筐体及び（又は）前記下側筐体に前記携帯電話機が折りたたまれた状態であるか開かれた状態であるかを検知するための検知手段を備えているものを挙げることができる。
【００２５】
検知手段としてはそれには限定されないが、光センサ、対物センサ等を挙げることができる。また、検知手段として、前記携帯電話機が折りたたまれた状態であるか、開かれた状態であるかを検知することができるものを広く採用することができる。
【００２６】
この構成によると、前記検知手段にて前記携帯電話機が折りたたまれた状態であるか、開かれた状態であるかを検出することができ、折りたたまれた状態で通話が開始されたか、開かれて通話が開始されたかによって受話部、送話部等をより細かく制御することが可能である。
【００２７】
上記構成において前記携帯電話機が折りたたまれた状態で前記上側筐体及び（又は）前記下側筐体の外面側及び（又は）側面部に送話・受話用キー操作部を設けているものを挙げることができる。
【００２８】
この構成によると、前記携帯電話機が折りたたまれた状態で、受信するだけではなく、折りたたまれた状態で電話かけることが可能である。
【発明の効果】
【００２９】
本発明によると、折りたたんだ状態で送・受話可能な折りたたみ式携帯電話機機であって、折りたたんだ状態及び開いた状態いずれの場合でも、送・受話音声品質を低下させることなく通話することができる折りたたみ式携帯電話機を提供することができる。
【００３０】
また本発明によると、折りたたみ式携帯電話機を開いた状態で使っているときは、通話中以外の人に特殊な装置を用いることなく通話内容を聞かせることができる折りたたみ式携帯電話機を提供することができる。
【発明を実施するための最良の形態】
【００３１】
以下に本発明の実施するための最良の形態を図面を参照して説明する。
【００３２】
図１（Ａ）に本発明にかかる折りたたみ式携帯電話機の一例の開いた状態の斜視図を、図１（Ｂ）に図１（Ａ）に示す携帯電話機の折りたたんだ状態の斜視図を示す。
【００３３】
図１（Ａ）、（Ｂ）に示す折りたたみ式携帯電話Ａ１は、上側筐体１と、下側筐体２と、上側筐体１と下側筐体２を折りたたみ可能に接続するヒンジ部３を有している。
【００３４】
ヒンジ部３は、上側筐体１に突設された上側凸部３１と下側筐体２に突設された下側凸部３２をピン３３を介して回動自在に連結することで形成されるものである。上側凸部３１は上側筐体１と、下側凸部３２は下側筐体２とそれぞれ一体的に形成されている。
【００３５】
上側筐体１は、音声を出力するための受話部４１と、内面側１１に折りたたみ式携帯電話機Ａ１に保存されている個人情報や、受信した電子メール、相手の電話番号等を表示するための第１の表示部４２（それには限定されないが、ここでは液晶表示部）と、外面側１２に第１の表示部４２よりも小さく、必要な情報だけを表示することができる第２の表示部４３と、折りたたみ式携帯電話機Ａ１を閉じた状態で必要な操作を行うことができ、後述する下側筐体２に備えられる第１のキー入力部５１よりも少ない入力キーで構成される第２のキー入力部４４と、側面に通話を開始／終了するための側面通話キー４５とを備えている。
【００３６】
第２の入力キー４４は第２の表示部４３に示されたカーソルを上方向に移動させる上方向スクロールキー４４１と、下方向に移動させる下方向スクロールキー４４２と、上下両スクロールキー４４１、４４２にて移動したカーソルにて選択された、文字、電話番号等を決定する決定キー４４３とを備えている。
【００３７】
下側筐体２は、内面側２１に電話番号や電子メールのアドレス、本文等を入力するための第１のキー入力部５１と、使用者が発声した音声や折りたたみ式携帯電話機Ａ１の近傍の音等を送話する送話部５２とを備えている。
【００３８】
第１のキー入力部５１は、「０」〜「９」までの数字及び「＊」、「＃」が割り振られたテンキー５１１と、電源のＯＮ、ＯＦＦを切替える電源キー５１２と、通話を開始する通話キー５１３と、折りたたみ式携帯電話機Ａ１に内蔵されている機能を第１の表示部４２に表示するメニューキー５１４と、第１の表示部４２に表示されているカーソルを上下左右に移動させることができるカーソルキー５１５と、文字や電話番号等を決定するための決定キー５１６とを有している。
【００３９】
テンキー５１１には上述の数字及び記号以外に、ひらがな、カタカナ、英字、記号等の文字も割り振られており、所定の入力方法を用いることでそれぞれのキーに対応した文字を入力することが可能である。
【００４０】
図２（Ａ）に図１に示す携帯電話機を開いた状態の断面図を、図２（Ｂ）に図１に示す携帯電話機を閉じた状態の断面図を示す。
【００４１】
図２（Ａ）、（Ｂ）に示すように、受話部４１は上側筐体１の内面側１１及び外面側１２いずれにも発音できる両面発音方式のレシーバ４１１を備えており、上側筐体１のレシーバ４１１が対面する位置には内側小孔４１２、外側小孔４１３がそれぞれ設けられている。また、送話部５２は音声を電気信号に変換するマイク５２１を備えており、下側筐体２のマイク５２１に対向する位置に送話用小孔５２２が形成されている。折りたたみ式携帯電話機Ａ１を折りたたんだ状態で上側筐体１の送話部５２のマイク５２１と対面する部分には、上側筐体１の内面側１１と外面側１２とを貫通する貫通孔１３を備えている。
【００４２】
折りたたみ式携帯電話機Ａ１は通常、図１に示すように折りたたみ式携帯電話機Ａ１を開いた状態で、上側筐体１に備えられた受話部４１に耳を当てることで、音声を聞き取る。また、下側筐体２に備えられた送話部５２に口元を近づけてしゃべることで音声を送話する。
【００４３】
図１（Ｂ）及び図２（Ｂ）に示すように折りたたみ式携帯電話機Ａ１を折りたたんだ状態で上側筐体１の外側小孔４１３からは受話部４１よりの受話音声を聞き取ることができ、そして、貫通孔１３を通して音声を送話部５２に送ることが可能である。このことを利用して、折りたたみ式携帯電話機Ａ１を閉じた状態で上側筐体１の外面側１２の外側小孔４１３を耳にあてがい、貫通孔１３に口元を寄せることで通話が可能である。
【００４４】
折りたたみ式携帯電話機Ａ１を折りたたんだ状態で電話がかかってきた場合、上側筐体１の側面に設けられた側面通話キー４５を押すことで、通話を開始することが可能である。また、折りたたんだ状態で折りたたみ式携帯電話機Ａ１を用いて相手に電話をかける場合、相手先は予め折りたたみ式携帯電話機Ａ１のメモリに記録されているものに限られるる。折りたたみ式携帯電話機Ａ１のメモリに記録され、第２の表示部４３に一覧表示されている相手より通話をしたい相手を、上方向スクロールキー４４１及び（又は）下方向スクロールキー４４２を操作して選択し、決定キー４４３にて決定する。そして、側面通話キー４５を押すことで電話をかけることが可能である。
【００４５】
また、第２の表示部４３に数字一覧を表示し、数字を選択できるようにしておけば、折りたたみ式携帯電話機Ａ１を折りたたんだ状態でも電話番号を入力して電話をかけることが可能である。
【００４６】
折りたたみ式携帯電話機Ａ１は、受話部４１が上側筐体１に、送話部５２が下側筐体２に取り付けられており、折りたたみ式携帯電話機Ａ１を開いた状態で通話するときには受話部４１と送話部５２とが離れた状態で通話することが可能であり、受話部４１を耳にあてがうと送話部５２が口元近くに配置される形状を有している。
【００４７】
また、受話部４１と送話部５２が上側筐体１及び下側筐体２に分けて取り付けられているので、受話部４１から送話部５２への音圧干渉を低減することができる。つまり、受話部４１のレシーバ４１１より発声された音声の音圧が送話部５２のマイク５２１に作用してエコーやハウリング等の不快な現象が発生するのを低減することができ、それだけ、高音質で通話することが可能である。
【００４８】
下側筐体２には図示を省略した、音声処理用のＩＣ（集積回路）が設置されており、送話部５２から音声処理用ＩＣまでの信号回路が短くなるので、ノイズを拾いにくくなる効果も有している。
【００４９】
図３に本発明にかかる携帯電話機の他の例の折りたたんだ状態の概略断面図を示す。
【００５０】
図３に示す折りたたみ式携帯電話機Ａ２は、受話部６のレシーバ６１が両面発音方式のレシーバではなく、通常の片面発音方式のレシーバを内面側６１１及び外面側６１２に独立して取り付けている。それ以外の部分は、図２に示す折りたたみ式携帯電話機Ａ１と同じ構成であり実質上同一部分には同一の符号が付してある。
【００５１】
折りたたみ式携帯電話機Ａ２には上側筐体１と下側筐体２が閉じた状態であるか又は開いた状態であるかを検知するセンサが設けられている（図示省略）。折りたたみ式携帯電話機Ａ２が閉じた状態であるとセンサが検出している状態で通話が開始されると、外面側レシーバ６１２より発音する。また、折りたたみ式携帯電話機Ａ２が開いた状態であると検出している状態で通話が開始されると、内面側レシーバ６１１より発音する。
【００５２】
折りたたみ式携帯電話機Ａ２が開いた状態のときには、使用者の要求に応じて外面側レシーバ６１２からも発音するようにしてもよい。こうすることで、近くにいる人も受話部６の外側小孔４１３に耳を近づけることで、受話音声を聞くことが可能である。さらに、内側レシーバ６１１と外側レシーバ６１２の音量は別個に使用者の要求に応じて及び（又は）自動的に操作できるものが望ましい。
【００５３】
図４に本発明にかかる携帯電話機のさらに他の例の折りたたんだ状態の概略断面図を示す。
【００５４】
図４に示す折りたたみ式携帯電話機Ａ３は、折りたたみ式携帯電話機Ａ２の外面側レシーバ６１２のかわりに、着信を知らせる音声を出力するためのスピーカＳｐを用いており、それ以外の部分は折りたたみ式携帯電話機Ａ２と同じ構成であり実質上同一部分には同一の符号を付してある。
【００５５】
折りたたみ式携帯電話機Ａ３は、上側筐体１の内面側１１に受話部７が備えられており、外面側１２の受話部に対応する位置にスピーカＳｐが備えられている。スピーカＳｐは、音声を発音することで使用者に折りたたみ式携帯電話機Ａ３が電話又はメールを受信していることを知らせるものであり、折りたたみ式携帯電話機Ａ３が着信時に発音される音声は、周りの状況が多少うるさくても使用者に着信していることを知らせることができるように大きい。
【００５６】
折りたたみ式携帯電話機Ａ３を閉じた状態の時には、スピーカＳｐを受話部７のレシーバ７１のかわりとして使用するものである。折りたたみ式携帯電話機Ａ３は上側筐体１と下側筐体２が開いた状態か又は折りたたまれた状態かを検知するセンサを備えており、折りたたみ式携帯電話機Ａ３が開いた状態をセンサが検出していても、閉じた状態を検出していても着信時のスピーカＳｐからの発音音声の音量は通常の音量である。
【００５７】
使用者が開いた状態で通話キー５１３を操作し電話を受けた場合、スピーカＳｐは発音を停止し、受話部７のレシーバ７１から音声が発音される。また、閉じた状態で側面通話キー４５を操作し電話を受けた場合、スピーカＳｐから通話音声が発音され、発音される音声の音量は、レシーバ７１より発音される音声の音量と同じ程度の大きさになるように調整する。折りたたみ式携帯電話機Ａ３が閉じられた状態で通話するときのスピーカＳｐから発音される音声の音量は使用者によって任意の音量に調節される。折りたたみ式携帯電話機Ａ３を閉じた状態で電話をかける場合も同様にスピーカＳｐの音量はレシーバ７１の音量と同程度に調整される。
【００５８】
図５に本発明にかかる折りたたみ式携帯電話機のさらに他の例の折りたたんだ状態の断面図を示す。
【００５９】
図５に示す折りたたみ式携帯電話機Ａ４は、上側筐体１のヒンジ部３に近い部分に第２の送話部８２と、上側筐体１’と下側筐体２とが閉じた状態又は開いた状態であるかを検知するセンサとを備えている。また、上側筐体１’は貫通孔を備えていないが、それ以外の部分は折りたたみ式携帯電話機Ａ１と同じ構成になっており実質上同一の部分には同一の符号が付してある。
【００６０】
携帯電話Ａ３を用いて開いた状態で通話を行うときは、折りたたみ式携帯電話機Ａ１と同様に下側筐体２の内面側に備えられた第１の送話部８１に音声を送ることで通話を行う。折りたたんだ状態で通話を行うときは、上側筐体１’の外面側１２’に備えられた第２の送話部８２に音声を送ることで通話を行う。このとき、下側筐体２に備えられた第１の送話部８１は機能を停止しておく。
【００６１】
この構成にすることで、使用者の声等の音声がより鮮明に相手に伝えることが可能である。また、下側筐体２の第１の送話部８１を図５に示す折りたたみ式携帯電話機Ａ４と同じ位置にする必要はなく、開いた状態で上側筐体１’に備えられた受話部４を耳にあてがったときに、下側筐体２の口元に近くなる部分に送話部８１を配置することが可能である。これにより、開いた状態でより高品質な音声で通話することが可能である。
【００６２】
折りたたみ式携帯電話機Ａ４では受話部４として両面発音式のレシーバ４１を採用しているが、折りたたみ式携帯電話機Ａ２に用いられているように内面側と外面側に独立したレシーバを備えるものや、折りたたみ式携帯電話機Ａ３に採用しているような、内面側はレシーバ、外面側はスピーカを代用してレシーバ様に用いるものを採用してもよい。
【図面の簡単な説明】
【００６３】
【図１】図（Ａ）は本発明にかかる折りたたみ式携帯電話機の一例の開いた状態の斜視図であり、図（Ｂ）は図（Ａ）に示す折りたたみ式携帯電話機の折りたたんだ状態の斜視図である。
【図２】図（Ａ）は図１に示す折りたたみ式携帯電話機の開いた状態の断面図であり、図（Ｂ）は図（Ａ）に示す折りたたみ式携帯電話機の折りたたんだ状態の断面図である。
【図３】本発明にかかる折りたたみ式携帯電話機の他の例の折りたたんだ状態の断面図である。
【図４】本発明にかかる折りたたみ式携帯電話機のさらに他の例の折りたたんだ状態の断面図である。
【図５】本発明にかかる折りたたみ式携帯電話機のさらに他の例の折りたたんだ状態の断面図である。
【図６】従来の折りたたみ式携帯電話機の一例の折りたたんだ状態の断面図である。
【図７】従来の折りたたみ式携帯電話機の他の例の折りたたんだ状態の断面図である。
【符号の説明】
【００６４】
Ａ１、Ａ２、Ａ３、Ａ４  折りたたみ式携帯電話機
１、１’  上側筐体
１１  内面側
１２  外面側
１３  貫通孔
２  下側筐体
２１  内面側
３  ヒンジ部
４１  受話部
４１１  レシーバ
４１２  内側小孔
４１３  外側小孔
４２  第１の表示部
４３  第２の表示部
４４  第２のキー入力部
４４１  上方向スクロールキー
４４２  下方向スクロールキー
４４３  決定キー
４５  側面通話キー
５１  第１のキー入力部
５１１  テンキー
５１２  電源キー
５１３  通話キー
５１４  メニューキー
５１５  カーソルキー
５１６  決定キー
５２  送話部
６  受話部
６１  レシーバ
６１１  内面側レシーバ
６１２  外面側レシーバ
７  受話部
７１  レシーバ
８１  第１の送話部
８２  第２の送話部
【図１】
2005079938.tif 000003
【図２】
2005079938.tif 000004
【図３】
2005079938.tif 000005
【図４】
2005079938.tif 000006
【図５】
2005079938.tif 000007
【図６】
2005079938.tif 000008
【図７】
2005079938.tif 000009